(57)【要約】【課題】記録膜の特性に影響を与えることなく、記録容量を高めることができる記録可能な片面多層の情報記録媒体、及びその情報記録媒体を用いる情報記録装置、情報記録方法を提供する。【解決手段】複数の記録層を有する片面多層の記録可能な情報記録媒体において、各記録層は内周から順にエンボス管理領域、内周記録可能管理領域、データ領域、外周記録可能管理領域が配置され、いずれか１つの記録層はエンボス管理領域の内周にバーストカッティング領域が配置されることを特徴とする情報記録媒体。【選択図】図６
2007048409.tif 000002
【特許請求の範囲】
【請求項１】
複数の記録層を有する片面多層の記録可能な情報記録媒体において、
各記録層は内周から順にエンボス管理領域、内周記録可能管理領域、データ領域、外周記録可能管理領域が配置され、いずれか１つの記録層はエンボス管理領域の内周にバーストカッティング領域が配置されることを特徴とする情報記録媒体。
【請求項２】
記録層の数は２層であり、
各層は記録可能管理領域にテスト領域、マネジメント領域、ガード領域のいずれか、もしくは複数の領域を有し、
一方の層のテスト領域とマネジメント領域と重なる他方の層はガード領域であることを特徴とする請求項１記載の情報記録媒体。
【請求項３】
記録層の数は２層であり、
レーザ光源に近いレイヤー０の記録層の内周記録可能管理領域には内周から順に第１のガード領域、テスト領域、マネジメント領域、第２のガード領域、フォーマット情報領域が配置され、
レーザ光源に遠いレイヤー１の記録層の内周記録可能管理領域には内周から順に第１のガード領域、テスト領域、第２のガード領域が配置されることを特徴とする請求項１記載の情報記録媒体。
【請求項４】
前記レイヤー０の記録層の第１のガード領域の半径方向の長さは製造誤差による前記レイヤー１とレイヤー０との記録層のエンボス管理領域の外周側の終点の位置ずれの許容値であり、
前記レイヤー１の記録層のテスト領域の内周側の始点は前記レイヤー０の記録層の第２のガード領域の内周側の始点から前記許容値だけ外周側に位置し、
前記レイヤー１の記録層のテスト領域の外周側の終点は前記レイヤー０の記録層の第２のガード領域の外周側の終点から前記許容値だけ内周側に位置することを特徴とする請求項３記載の情報記録媒体。
【請求項５】
記録層の数は２層であり、
レーザ光源に近いレイヤー０の記録層の外周記録可能管理領域には内周から順に第１のガード領域、テスト領域、第２のガード領域が配置され、
レーザ光源に遠いレイヤー１の記録層の外周記録可能管理領域には内周から順に第１のガード領域、テスト領域、第２のガード領域が配置されることを特徴とする請求項１記載の情報記録媒体。
【請求項６】
前記レイヤー１の記録層の第１のガード領域の半径方向の長さは製造誤差による前記レイヤー１とレイヤー０との記録層のデータの外周側の終点の位置ずれの許容値であり、
前記レイヤー０の記録層のテスト領域の内周側の始点は前記レイヤー１の記録層の第２のガード領域の内周側の始点から前記許容値だけ外周側に位置し、
前記レイヤー０の記録層のテスト領域の外周側の終点は前記レイヤー１の記録層の第２のガード領域の外周側の終点から前記許容値だけ内周側に位置することを特徴とする請求項３記載の情報記録媒体。
【請求項７】
マネジメント領域に、ガード領域の記録状態を示す情報を有することを特徴とする請求項２記載の情報記録媒体。
【請求項８】
マネジメント領域に、データ領域の範囲を示す情報を有し、これを変更することにより、データ領域、内周側管理領域、外周側管理領域の配置を変更することが可能な請求項２記載の情報記録媒体。
【請求項９】
各記録層は内周から順にエンボス管理領域、内周記録可能管理領域、データ領域、外周記録可能管理領域が配置され、
いずれか１つの記録層はエンボス管理領域の内周にバーストカッティング領域が配置され、
各層の記録可能管理領域にテスト領域、マネジメント領域、ガード領域のいずれか、もしくは複数の領域を有し、
一方の層のテスト領域とマネジメント領域と重なる他方の層はガード領域である片面２層の情報記録媒体に情報を記録する情報記録装置において、
ガード領域に層間クロストークを防止するためのダミーデータを記録する手段と、
テスト領域に記録波形を最適化するための試し書きをする手段と、
データ領域にデータを記録する手段と、
マネジメント領域に、データ領域に記録中のデータの状態を管理するためのマネジメント情報を記録する手段と、
を具備する情報記録装置。
【請求項１０】
各記録層は内周から順にエンボス管理領域、内周記録可能管理領域、データ領域、外周記録可能管理領域が配置され、
いずれか１つの記録層はエンボス管理領域の内周にバーストカッティング領域が配置され、
各層の記録可能管理領域にテスト領域、マネジメント領域、ガード領域のいずれか、もしくは複数の領域を有し、
一方の層のテスト領域とマネジメント領域と重なる他方の層はガード領域である片面２層の情報記録媒体に情報を記録する情報記録方法において、
ガード領域に層間クロストークを防止するためのダミーデータを記録するステップと、
テスト領域に記録波形を最適化するための試し書きをするステップと、
データ領域にデータを記録するステップと、
マネジメント領域に、データ領域に記録中のデータの状態を管理するためのマネジメント情報を記録するステップと、
を具備する情報記録方法。
【請求項１１】
各記録層は内周から順にエンボス管理領域、内周記録可能管理領域、データ領域、外周記録可能管理領域が配置され、
いずれか１つの記録層はエンボス管理領域の内周にバーストカッティング領域が配置され、
各層の記録可能管理領域にテスト領域、マネジメント領域、ガード領域のいずれか、もしくは複数の領域を有し、
一方の層のテスト領域とマネジメント領域と重なる他方の層はガード領域である片面２層の情報記録媒体に情報を再生する情報再生装置において、
データアクセス方式切り替え手段と、
各記録層の記録状態判別手段と、
前記各記録層の記録状態判別手段の判別結果に従って、データアクセス方式切り替え手段がデータアクセス方式を切り替える手段と、
を具備する情報再生装置。
【請求項１２】
各記録層は内周から順にエンボス管理領域、内周記録可能管理領域、データ領域、外周記録可能管理領域が配置され、
いずれか１つの記録層はエンボス管理領域の内周にバーストカッティング領域が配置され、
各層の記録可能管理領域にテスト領域、マネジメント領域、ガード領域のいずれか、もしくは複数の領域を有し、
一方の層のテスト領域とマネジメント領域と重なる他方の層はガード領域である片面２層の情報記録媒体に情報を再生する情報再生装置において、
各記録層の記録状態判別ステップと、
前記各記録層の記録状態判別ステップの判別結果に従って、データアクセス方式を切り替えるステップと、
を具備する情報再生方法。
【発明の詳細な説明】
【技術分野】
【０００１】
本発明は片面に複数の記録層を設けた情報記録媒体、及びその情報記録媒体を用いた情報記録装置、情報記録方法に関する。
【背景技術】
【０００２】
映像信号等の大量な情報を記録できる記録媒体として、ＤＶＤ（デジタル・バーサタイル・ディスク）が普及している。これにより、２時間程度の映画をＤＶＤに記録し、再生装置により情報を再生することにより家庭で自由に映画を見ることが出来るようになった。近年、テレビジョン放送のディジタル化が提案され、高品位テレビジョン（ＨＤＴＶ）方式という高解像度のテレビジョン方式の実用化も計画されている。このため、レーザ光の波長を短くする、あるいは開口数ＮＡを大きくする等によりビームスポットを絞り込み記録容量を増やした次世代ＤＶＤの規格が提案されている。ビームスポットを絞り込む以外にも、ディスクの片面に複数（例えば２つ）の記録層を設け、対物レンズを光軸方向に動かしてそれぞれの層にビームを収束させ、記録層毎に記録・再生できる片面多層の記録媒体を用いることが考えられている（例えば、特許文献１参照）。
【０００３】
ここで、追記型の記録媒体においては、データの追記毎にマネジメント情報も追記する必要があり、データ領域の内周側と外周側にマネジメント情報を追記するための記録可能管理領域がそれぞれ設けられている。現行のＤＶＤでは、内周側の記録可能管理領域はエンボス領域の内側に配置されている。
【０００４】
しかしながら、エンボス領域の両側に（すなわち、エンボス領域を挟んで）記録可能領域を配置することは、エンボス領域が記録膜の特性に影響を与えることになり、好ましくない。
【特許文献１】特開２００４−２０６８４９号公報（段落００３６乃至段落００４１、図１）
【発明の開示】
【発明が解決しようとする課題】
【０００５】
このように従来の片面多層の記録可能な情報記録媒体には、エンボス領域と記録可能な管理情報記録領域との配置関係が記録膜の特性に影響を与えるという問題点がある。
【０００６】
本発明の目的は記録膜の特性に影響を与えることなく、記録容量を高めることができる記録可能な情報記録媒体、及びその情報記録媒体を用いる情報記録装置、情報記録方法を提供することにある。
【課題を解決するための手段】
【０００７】
上記した課題を解決し目的を達成するために、本発明は以下に示す手段を用いている。
【０００８】
本発明の一実施態様によれば、複数の記録層を有する片面多層の記録可能な情報記録媒体において、各記録層は内周から順にエンボス管理領域、内周記録可能管理領域、データ領域、外周記録可能管理領域が配置され、いずれか１つの記録層はエンボス管理領域の内周にバーストカッティング領域が配置される。
【０００９】
本発明の他の実施態様によれば、各記録層は内周から順にエンボス管理領域、内周記録可能管理領域、データ領域、外周記録可能管理領域が配置され、いずれか１つの記録層はエンボス管理領域の内周にバーストカッティング領域が配置され、各層の記録可能管理領域にテスト領域、マネジメント領域、ガード領域のいずれか、もしくは複数の領域を有し、一方の層のテスト領域とマネジメント領域と重なる他方の層はガード領域である片面２層の情報記録媒体に情報を記録する情報記録装置において、ガード領域に層間クロストークを防止するためのダミーデータを記録する手段と、テスト領域に記録波形を最適化するための試し書きをする手段と、データ領域にデータを記録する手段と、マネジメント領域に、データ領域に記録中のデータの状態を管理するためのマネジメント情報を記録する手段とを具備する。
【００１０】
本発明の他の実施態様によれば、各記録層は内周から順にエンボス管理領域、内周記録可能管理領域、データ領域、外周記録可能管理領域が配置され、いずれか１つの記録層はエンボス管理領域の内周にバーストカッティング領域が配置され、各層の記録可能管理領域にテスト領域、マネジメント領域、ガード領域のいずれか、もしくは複数の領域を有し、一方の層のテスト領域とマネジメント領域と重なる他方の層はガード領域である片面２層の情報記録媒体に情報を記録する情報記録方法において、ガード領域に層間クロストークを防止するためのダミーデータを記録するステップと、テスト領域に記録波形を最適化するための試し書きをするステップと、データ領域にデータを記録するステップと、マネジメント領域に、データ領域に記録中のデータの状態を管理するためのマネジメント情報を記録するステップとを具備する。
【００１１】
本発明の他の実施態様によれば、各記録層は内周から順にエンボス管理領域、内周記録可能管理領域、データ領域、外周記録可能管理領域が配置され、いずれか１つの記録層はエンボス管理領域の内周にバーストカッティング領域が配置され、各層の記録可能管理領域にテスト領域、マネジメント領域、ガード領域のいずれか、もしくは複数の領域を有し、一方の層のテスト領域とマネジメント領域と重なる他方の層はガード領域である片面２層の情報記録媒体に情報を再生する情報再生装置において、データアクセス方式切り替え手段と、各記録層の記録状態判別手段と、前記各記録層の記録状態判別手段の判別結果に従って、データアクセス方式切り替え手段がデータアクセス方式を切り替える手段とを具備する。
【００１２】
本発明の他の実施態様によれば、各記録層は内周から順にエンボス管理領域、内周記録可能管理領域、データ領域、外周記録可能管理領域が配置され、いずれか１つの記録層はエンボス管理領域の内周にバーストカッティング領域が配置され、各層の記録可能管理領域にテスト領域、マネジメント領域、ガード領域のいずれか、もしくは複数の領域を有し、一方の層のテスト領域とマネジメント領域と重なる他方の層はガード領域である片面２層の情報記録媒体に情報を再生する情報再生装置において、各記録層の記録状態判別ステップと、前記各記録層の記録状態判別ステップの判別結果に従って、データアクセス方式を切り替えるステップとを具備する。
【発明の効果】
【００１３】
以上説明したように本発明によれば、記録膜の特性に影響を与えることなく、記録容量を高めることができる記録可能な情報記録媒体、及びその情報記録媒体を用いる情報記録装置、情報記録方法を提供することができる。
【発明を実施するための最良の形態】
【００１４】
以下、図面を参照して本発明による情報記録媒体、情報記録装置、情報記録方法の実施の形態を説明する。
【００１５】
（光ディスク記録再生システム）
図１及び図２に本発明の実施形態の一つである情報記録再生システムのブロック図を示す。
【００１６】
図１に示す情報記録再生システムは、映像やユーザーデータ等の情報を記録、再生する媒体である光ディスク１０と、光ディスク１０に情報を記録したり、光ディスク１０から情報を再生する光ディスク装置１２と、光ディスク装置１２に指令を発行し、光ディスク装置１２を介して光ディスク１０から必要な情報を読み出し、映像の再生やユーザーへの情報の表示等を行うホスト部１４からなっている。
【００１７】
光ディスクレコーダやプレーヤーといった装置１６は図１に示すようにその装置１６内に、光ディスク装置１２とホスト部１４を内蔵している。ホスト部１２は図示しないが、ＣＰＵ（Ｃｅｎｔｒａｌ  Ｐｒｏｃｅｓｓｉｎｇ  Ｕｎｉｔ）や作業領域として用いられるＲＡＭ（Ｒａｎｄｏｍ  Ａｃｃｅｓｓ  Ｍｅｍｏｒｙ）、設定パラメータやその他電源が落とされても保持しておくべき種々のデータを記憶保持するＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）やフラッシュメモリーなどの不揮発性メモリを備えたものである。これらのメモリにはユーザーの要求に対して実行される種々のプログラムや処理に必要なデータやファイル管理に必要なファイルシステム等が記録されている。たとえば、ＤＶＤビデオフォーマットのＵＤＦブリッジファイルシステム、ＤＶＤビデオレコーディングフォーマットのＵＤＦファイルシステム、また、次世代ビデオフォーマットのＵＤＦファイルシステム、次世代ビデオレコーディングフォーマットのＵＤＦファイルシステム、アプリケーションソフトなどが搭載されている。
【００１８】
一方、パーソナルコンピュータ等のシステムでは、図２に示すようにパーソナルコンピュータがホストＰＣ１８となる。光ディスク装置１２に対する指示の発行は、OS（オペレーションソフト）やライティングソフト、ビデオ再生ソフトといったアプリケーションソフトを実行することにより行われる。
【００１９】
（光ディスク装置）
図３に本発明の実施形態の一つである光ディスク装置のブロック図を示す。光ディスク装置は、光学ヘッド（ピックアップヘッド：PUH）アクチュエータ２２から出射されるレーザー光を光ディスク１０の情報記録層に集光することで、情報の記録再生を行っている。光ディスク１０から反射した光は、再び、PUHアクチュエータ２２の光学系を通過し、フォトディテクター（ＰＤ）２４で電気信号として検出する。検出された電気信号は、プリアンプ２６で増幅され、サーボ回路２８、ＲＦ信号処理回路３０、アドレス信号処理回路３２に出力される。サーボ回路２８では、フォーカス、トラッキング、チルト等のサーボ信号が生成され、各信号がそれぞれ、PUHアクチュエータ（フォーカス、トラッキング、チルトアクチュエータ）２２に出力される。ＲＦ信号処理回路３０、アドレス信号処理回路３２における記録されたデータの読み取りや、アドレス信号等のこの際の復調方法としては、スライス方式やPRML（Partial Response Maximum Likelihood）方式がある。光ディスク装置は記録再生の対象となる光ディスク１０とPUHアクチュエータ２２によって形成される集光ビームスポットのサイズによって最適な復調方式を選択する。スライス方式には、再生信号に線形な波形等化を行った後に信号を２値化する方法や、再生信号の低域の高振幅成分を一定の値に制限するリミットイコライザと呼ばれる非線形等化器によって等化した後に信号を２値化する方法などがある。また、PRML方式に関しても、再生信号の周波数特性に対応して、最適なPRクラスたとえば、PR(1,2,2,21)や、PR(1,2,1)、PR(1,2,2,1)、PR(3,4,4,3)等が選択される。アドレス信号処理回路３２では、検出された信号を処理することにより、光ディスク上の記録位置を示す物理アドレス情報を読み出し、コントローラー３４に出力する。コントローラー３４はこのアドレス情報を元に、所望の位置のユーザーデータ等のデータを読み出したり、所望の位置にデータを記録したりする。この際、データは記録信号処理回路３６で光ディスク記録に適した記録波形制御信号に変調される。この信号を元にLD駆動回路（ＬＤＤ）３８は光学ヘッド２２内のレーザダイオード（LD）を発光させ、光ディスク１０に情報を記録する。
【００２０】
また、本実施形態ではレーザダイオードの波長は４０５±１５ｎｍである。また、光学ヘッド２２内で上記波長の光を光ディスク上に集光させるために用いられる対物レンズのＮＡ値は０．６５である。また、対物レンズに入射する直前の入射光の強度分布として、中心強度を“１”とした時の対物レンズ周辺（開口部境界位置）での相対的な強度を“ＲＩＭIntensity”と呼ぶ。ＨＤ＿ＤＶＤフォーマットにおける前記ＲＩＭ  Intensityの値は５５〜７０％になるように設定してある。この時の光学ヘッド２２内での波面収差量は使用波長λに対して最大０．３３λ（０．３３λ以下）になるように光学設計されている。
【００２１】
（光ディスク）
図４に本発明の実施形態の一つである２つの情報記録再生層を有する２層光ディスクの模式図を示す。本ディスクは図４に示すように２つの情報記録層(以下レイヤーと称する)を有し、それぞれの情報領域のレイアウトは若干異なっている。また、本発明のディスクには、記録マークを一箇所に一回だけ可能な追記型と記録マークの上書き、消去が可能な書き換え型の２種類がある。
【００２２】
（光ディスクのフォーマット）
表１に本発明の光ディスクのエンボス領域と書換え可能な記録領域の物理仕様を示す。ここで、回転制御方式のCLVとはConstant liner velocityの略で、線方向の速度を一定に保った回転制御方法を意味している。また、ETM（Eight to Twelve modulation）とは変調方式の一つで、８ビットの情報ビットごとに、冗長性を持たせた１２ビットのチャネルビットに変換して信号を記録する方式である。この冗長性を持たせた事により、直接情報ビットを光ディスクに記録する場合に比べ情報の記録再生の信頼度が飛躍的に向上している。
【表１】
2007048409.tif 000003
【００２３】
次に本実施形態のディスクの反射率について説明を行う。同ディスクは、405nmの波長で観測した場合、レイヤー0とレイヤー1のエンボス領域の最大反射率及び、記録後の記録信号の最大反射率は3%から9%の範囲に収まっている。また、光ディスクの各レイヤーには図５に示すように情報の記録再生の案内溝となる凹凸、グルーブが形成されている。ここで、光入射側から見て手前をグルーブ、奥をランドと呼ぶ。ディスクには、グルーブのみに記録を行うもの、ランドのみに記録を行うもの、グルーブとランドの両方に記録を行うものがある。さらに、この案内溝は半径方向にサイン波状に蛇行（ウォブル）している。そしてこのサイン波の位相を切り替えることにより情報記録領域における物理的な位置を示す物理アドレス情報やディスクの固有情報を記録している。ウォブルの変調領域は、93ウォブル中16ウォブル設けられており、さらにウォブル信号に記録する情報の1ビットに当たる1シンボルは4ウォブルで構成される。ウォブルの形状は特にこれに限定するものではないが、以下特に断りのない限りこの値を参考に説明を進める。
【００２４】
（情報エリアのレイアウト）
図６にディスクの各レイヤーのレイアウトを示す。ここで、レイヤー0及びレイヤー1はほぼ同じ構成で領域が分割されている。ただし、BCA領域に関しては、レイヤー0もしくはレイヤー1のいずれかの領域のみに配置される。これは、BCA領域からの情報の読み出しを安定化するためである。BCA領域の信号の記録に用いられるBCAマークは層間のクロストークが大きいため、BCA領域を2つのレイヤーに用いると、相互の信号の干渉が発生し、情報の読みだしが困難になる。
【００２５】
レイヤーの領域の構成は内周側からバーストカッティング(BCA：Burst cutting area)領域、エンボス管理領域（System Lead-in or System Lead-out area）、内周記録可能管理領域（Data Lead-in or Data Lead-out are）、データ領域（Data area）、外周記録可能管理領域（Middle area）に区分されている。BCA領域には、基板の溝や、反射膜の剥離、記録媒体の変化によってBCAマークがあらかじめ記録されている。BCAマークは光ディスクの円周方向に変調されており、半径方向には同一の情報が並ぶ櫛型のマークである。ＢＣＡコードは、ＲＺ変調方法により変調されて記録される。パルス幅が狭い（＝反射率の低い）パルスは、この変調されたＢＣＡコードのチャネルクロック幅の半分よりも狭い必要が有る。また、BCAマークは半径方向に同一の形状を持っているため、トラッキングをかける必要がなく、フォーカスをかけただけで情報の再生が可能となる。
【００２６】
エンボス管理領域にはエンボスピットで情報が記録されている。この情報は、ディスクの識別情報やデータ領域の容量といった、光ディスクの管理情報である。また、この領域のエンボスピットの最短マーク長はデータ領域の倍の値になっている。この結果、通常のデータ領域はPRML方式を用いて再生されるが、エンボス管理領域においては、スライス方式を用いても情報の復調が可能となるほか、情報の読み取りの信頼性が高くなるという特徴がある。エンボス管理領域には、ディスクの情報読み出しの基本となる管理情報や、コピー権マネジメントの情報等が記録されるため、エンボス管理領域の読み取り信頼性を高めることは重要である。
【００２７】
次に記録可能管理領域には、データ領域と同じように、案内溝であるグルーブが形成されている。この領域には、データ領域と同じ密度で信号の記録の記録を行う。この領域には、試し書き領域や、データ領域の記録状態を把握するためのマネジメント領域、DPDトラッキング用のトラッキングオーバーラン領域、層間のクロストーク量を一定に保つためのガード領域等が配置される。
【００２８】
データ領域には、映像データやユーザーデータといったデータ等が記録される。
【００２９】
（層間クロストーク）
次に本発明の光ディスクの層間クロストークについて説明を行う。本発明の２層ディスクでは、図７に示すように、再生中のレイヤー（レイヤー１を再生）でないレイヤー（レイヤー０）の信号の記録状態が変化すると、そのクロストークによって再生中のレイヤー１の信号（プッシュプル信号）がオフセットするという問題が発生する。また、図８に示すようにレイヤー1に信号を記録する場合、レイヤー0が記録済みであるか、未記録であるかによって最適な記録パワーが異なるという問題がある。これらの問題は、レイヤー0の記録媒体の透過率及び反射率が記録状態と未記録状態で変化することや、光学的な収差を抑えるために中間層の厚みを大きくできないことなどが原因で発生するが、このような特性を物理的に低減することは非常に難しい。そこで、本発明の光ディスクでは、図９に示すようなクリアランス（記録禁止領域）を設け、このような信号のオフセットがあっても、問題なく情報の記録再生が可能であるという特徴を持っている。
【００３０】
図９はレイヤー0が記録済みの状態の場合の、レイヤー1の記録可能な範囲を示している。
【００３１】
このとき、レイヤー1の記録可能範囲は、レイヤー0の記録済み範囲から両側のクリアランスを引いた範囲となる。このクリアランスの幅は、式（1）によって求めることができる。
【００３２】
クリアランス＝Δｒ＋ｅ＋Δｓ            （1）
ここで、Δｒは製造誤差等によって発生するレイヤー0とレイヤー1の同一設計半径に対する実際の半径位置の相対的なずれであり、ｅは偏心量である。また、Δｓは再生中でない層に形成されるビームスポットの半径である。
【００３３】
（詳細レイアウト）
図１０及び図１１に本発明の実施形態の一つである２層光ディスクの内周側と外周側の情報エリアの詳細なレイアウトの一例を示す。レイヤー０またはレイヤー１の最内周にＢＣＡ領域（図示省略）がある。レイヤー0の内周側記録可能管理領域には、二つのガード領域とテスト領域（606物理セグメント（ＰＳ）ブロック）、マネジメント領域（４００ＰＳブロック）、フォーマット情報記録領域が配置されている。レイヤー1の内周側記録可能管理領域には、二つのガード領域とテスト領域（608ＰＳブロック）が配置されている。ガード領域は、DPDトラッキングのオーバーラン対策や層間クロストーク対策の為に、ダミーデータが記録されたり、未記録のまま保持される領域である。テスト領域は、光ディスクに管理情報やユーザー情報を記録する前に、記録波形を最適化するための試し書きをする領域である。マネジメント領域は、データ領域に記録中のデータの状態を管理するためのマネジメント情報が記録される領域である。
【００３４】
レイヤー0のテスト領域はエンボス管理領域のクロストークを避けるため、エンボス管理領域からクリアランス（ガード領域）の分だけ離れた位置に配置されている。そして、レイヤー0のテスト領域とマネジメント領域は隣接しており、これらの領域はレイヤー1のガード領域と重なるように設けられている。そして、レイヤー1のガード領域は、レイヤー0のテスト領域の幅とマネジメント領域の幅の合計に対して、両側のクリアランスの分だけ広い幅となっている。一方、レイヤー1のテスト領域は、レイヤー0のガード領域と重なるように設けられており、両側のクリアランスの分だけレイヤー0のガード領域より幅が狭くなっている。ガード領域は、データの記録とは関係なく、ダミーデータの記録や、未記録のまま保持しておくことが可能であるため、このように本発明の光ディスクのレイアウトでは、テスト領域とマネジメント領域と重なる反対の層の状態が常に、記録状態か、未記録状態の一定の状態となり、安定した試し書きや、マネジメント情報の記録が可能になるという特徴がある。
【００３５】
次に、レイヤー0及びレイヤー1の外周側記録可能管理領域には、図１１に示すようにそれぞれ二つのガード領域とテスト領域が配置されている。ここでも内周側と同様に、テスト領域と重なる反対側のレイヤーにはガード領域が配置されており、ガード領域の幅はテスト領域の幅の両側にクリアランスの幅を設けた幅よりも広くなっている。また、レイヤー１の内側のガード領域は拡張マネジメント領域として用いることも可能である。
【００３６】
（BCAの内容）
図１２に本発明の実施形態の一つである光ディスクのBCA領域に記録された情報の内容を示す。ＢＣＡデータは、２個のＢＣＡプリアンブル７３、７４と２個のポストアンブル７６、７７及び２個のＢＣＡデータ領域（ＢＣＡＡ）７８、７９を持ち、各ＢＣＡデータ領域（ＢＣＡＡ）７８、７９にはＢＣＡエラー検出コードＥＤＣＢＣＡ８０とＢＣＡエラー訂正コードＥＣＣＢＣＡ８１が付加され、その間にはＢＣＡ連結領域７５が配置されている。更に各４バイト毎に１バイトずつのシンクバイトＳＢＢＣＡ８３またはリシンクＲＳＢＣＡ８４が挿入されている。ＢＣＡプリアンブル７３、７４は４バイトで構成され、全て“００ｈ”が記録される。また各ＢＣＡプリアンブル７３、７４の直前にはシンクバイトＳＢＢＣＡ８３が配置される。各ＢＣＡデータ領域（ＢＣＡＡ）７８、７９内には、７６バイトが設定されている。ＢＣＡポストアンブル７６、７７は４バイトで構成され、全て“５５ｈ”の繰り返しパターンが記録されている。ＢＣＡ連結領域７５は、４バイトで構成され、全て“ＡＡｈ”が繰り返し記録される。
【００３７】
BCAデータ領域にはBCAレコードをひとつの単位としてひとつ、もしくは複数の情報が記録される。これはたとえば、ディスクの識別情報やコピー制御の為の情報である。表２に示されたのは、ディスクの識別情報をあらわすBCAレコードの例である。はじめの2バイトには、そのBCAレコードがどの種類（識別情報、コピー制御情報等）のレコードかを表すBCAレコード識別子が記録される。続いて、BCAレコードの形式を示すBCAレコードのバージョン番号（１バイト）が記録される。次に、BCAレコードのサイズを決めるデータ長（１バイト）が記録される。この長さには、BCAレコードのヘッダであるBCAレコード識別子からデータ長までの4バイトは含まれない。
【表２】
2007048409.tif 000004
【００３８】
次に、1バイトのブックタイプとディスクタイプが記録される。ブックタイプはディスクのフォーマット及び再生専用、追記型、書き換え型や、片面単層、片面2層等のフォーマットの種類を示す識別子である。ディスクタイプは図１３に示すように、1ビットごとに情報が割り振られており、最上位ビットは、記録マーク（ピット）の反射率が非マーク（ピット）部よりも高い（Low to High記録）か、低い（High to Low記録）かをあらわす極性識別子、次のビットはそのディスクがレイヤー毎に違うフォーマットを有しているツインフォーマット（ＴＦ）ディスクであるか否かを示す識別子が記録されている。ここで、ＴＦディスク識別子がバイナリで0の場合、そのディスクは、ツインフォーマットディスクではないことを示し、1の場合、ツインフォーマットディスクであることを示す。次の2ビットはトラッキング信号の極性識別子として用いられる。b1がレイヤー1の情報、b0がレイヤー0の情報をあらわしている。この値が0の場合、信号の記録再生はグルーブ部で行われることを意味し、この値が1の場合は信号の記録再生はランド部で行われる事となる。
【００３９】
さらに、各１バイトの拡張パートバージョンと拡張ディスクタイプが記録され、最後の１バイトは予備とされる。図１４に示すように、拡張ディスクタイプの最上位ビットには、それが2層ディスクであるかどうかを示す2層ディスク識別子が配置される。ここで、2層ディスクである場合にはこの識別子は1となり、そうでない場合には0となる。さらに、BCAがレイヤー0に配置される場合には、BCAポジション識別子が用意される。BCAがレイヤー0に配置される場合にはこのビットは1bとなる。
【００４０】
このほかの実施例として、図１５に示すように、レイヤー0が常にグルーブ記録である場合、ディスクタイプの最下位ビットb0にトラッキング極性識別子の代わりに2層ディスク識別子を配置しても良い。
【００４１】
いずれの場合にも、ディスクの最内周のBCAを再生することで、そのディスクが2層ディスクであるかどうかの判別が直ちに可能であり、さらに各レイヤーの記録トラックの極性情報が取得できるため、その後、所望のレイヤーのデータ領域及び記録可能管理領域にアクセスし、トラッキングサーボを動作させる処理が迅速になるという利点がある。
【００４２】
（エンボス管理領域フォーマット情報の内容）
表３にレイヤー0に設けられたエンボス領域のフォーマット情報の内容を示す。
【表３】
2007048409.tif 000005
【００４３】
ブックタイプはディスクのフォーマット及び再生専用、追記型、書き換え型等を示す識別子である。パートバージョンは、そのフォーマットのバージョン管理情報である。ディスクサイズにはそのディスクの直径を示す情報が記録される。たとえば、12cmmのディスクであれば0000b、8cmのディスクであれば0001bが記録される。最大転送レートには必要であれば、ディスクに記録されたデータを正常に再生するのに必要となる最大の転送レートが記録される。ディスク構造には、そのフォーマットのレイヤーの数、各レイヤーでトラックが内周側から外周側に向かっているか、内周側に向かっているかの極性を示す情報、そのレイヤーが再生専用であるか、追記型か、書き換え型であるかといった情報が記録される。ここでのレイヤーの数は、ディスクの持つレイヤー数ではなく、フォーマットのレイヤー数である。記録密度には、ディスク接線方向の密度とトラックピッチを表す情報が記録される。データエリア構造にはデフォルトのデータ領域の開始アドレスと終了アドレスが記録される。BCA識別子には、BCAがあるか無いかを示す情報を記録する。記録可能速度識別情報には、そのディスクに対して記録が可能な記録速度を表す情報が記録される。また、拡張パートバージョンにはパートバージョンの拡張情報を記録する。最大再生スピードには、ディスクに記録されたデータを正常に再生するのに必要となる最大の線速度が記録される。レイヤー情報にはレイヤー0及びレイヤー1に配置されたディスクの種類が記録される。
【００４４】
マーク極性情報には記録マークの反射率が未記録部に対して、高いか低いかを示す情報が記録されている。ここが00000000bであれば、記録マークの反射率は未記録部より高く、ここが10000000bであれば、記録マークの反射率が未記録部よりも低いことを示す。標準速度情報には、標準の記録速度が記録される。たとえば本実施形態の光ディスクでは6.6m/sとなる。次に、リム強度情報には、後述の記録波形情報を決定した際のPUHのリム強度の値を記録する。再生パワー情報には、データ領域を再生する場合に必要な再生パワーの値を指定する。実効記録スピード情報には、そのディスクが対応可能な記録スピードの実際の値がすべて記録されている。データ領域反射率（L0）にはレイヤー0のデータ領域にデータを記録した後の反射率が示されている。ここで、マーク極性情報が00000000bであれば、マーク部の反射率、10000000bであれば、非マーク（スペース）部の反射率が記録される。次に、プッシュプル信号振幅情報（L0）にはレイヤー0のプッシュプル信号を和信号で正規化した値と、記録再生を行うトラックを示すトラック情報が記録される。トラック情報が0bである場合、信号の記録再生はグルーブで実施することになり、1bである場合には、ランドで実施することになる。また、オントラック信号情報(L0)は、レイヤー0のデータ領域の未記録部の和信号レベルをエンボス管理領域の最大反射レベルで規格化した値が記録される。データ領域反射率情報（L1）からオントラック信号情報（L1）までのバイトには、レイヤー1の情報がそれぞれ記録される。
【００４５】
次に、記録波形情報（L0）及び（L1）にはそれぞれ、ディスク製造メーカが推奨するレイヤー0及びレイヤー1の最適な記録波形情報が記録される。これは、記録波形のピークパワーの値やボトムパワーの値、先頭、中間、最終パルスの開始終了位置などの値である。
【００４６】
表４にデータエリア構造の詳細な内容を示す。データエリア構造には、データ領域の開始物理セクターの番号（PSN）、第一記録可能領域最大物理セクター番号、レイヤー0の記録可能領域の最終物理セクター番号が記録される。ここで、データ領域の開始物理セクターの番号は、レイヤー0のデータ領域の開始物理セクター番号を示している。また、第一記録可能領域最大物理セクター番号はレイヤー1のデータ領域の終了物理セクター番号を示している。また、レイヤー0の記録可能領域の最終物理セクター番号はレイヤー0のデータ領域の最終物理セクター番号を示している。
【表４】
2007048409.tif 000006
【００４７】
（記録可能管理領域フォーマット情報の内容）
表５に記録可能管理領域のフォーマット情報を示す。この情報は、光ディスク装置がディスクに情報を記録する過程で、記録可能管理領域に記録する情報である。ここで、データエリア構造情報及びボーダーゾーンの開始物理セクター番号を除く情報は、エンボス領域のフォーマット情報と同様の値が記録される。
【表５】
2007048409.tif 000007
【００４８】
表６に記録可能管理領域のフォーマット情報におけるデータエリア構造の内容を示す。本データエリア構造にはデータ領域の開始物理セクターの番号（PSN）、第一ボーダー終了物理セクター番号（PSN）、レイヤー0の記録データ最終物理セクター番号（PSN）が記録される。ここで、データ領域の開始物理セクターの番号は、レイヤー0のデータ領域の開始物理セクター番号を示している。また、第一ボーダー終了物理セクター番号は第一ボーダー（後述）のユーザーデータ領域の最終物理セクター番号を示している。また、レイヤー0の記録データ最終物理セクター番号には、第一ボーダーがレイヤー0からレイヤー1にまたがる場合には、レイヤー0のユーザーデータ領域の最終物理セクター番号が記録され、第一ボーダーがレイヤー0で終了する場合にはすべて0で埋められる。
【表６】
2007048409.tif 000008
【００４９】
表７に記録可能管理領域のフォーマット情報におけるボーダーゾーンの開始物理セクター番号の詳細を示す。ここには、第一ボーダーのボーダーアウトの開始物理セクター番号（PSN）と次のボーダーのボーダーインの開始物理セクター番号（PSN）が記録される。また、次のボーダーが作成禁止である場合には、ボーダーインの開始物理セクター番号はすべて0で埋められる。したがって、ここが0で埋められていた場合には、そのディスクがファイナライズされていると判別することができる。
【表７】
2007048409.tif 000009
【００５０】
（マネジメント領域）
図１６にマネジメント領域の構成を示す。マネジメント領域の最初のブロックにはリードイン記録マネジメントデータが記録される。次に、マネジメント領域の次の7ブロックには記録マネジメントデータ複製領域が割り当てられる。残りの領域には記録マネジメント領域が割り当てられる。ここで、リードイン記録マネジメントデータは光ディスク装置がマネジメント領域に最初にデータを記録する際に記録する情報である。この中には表８に示すように、記録を行う光ディスク装置の製造会社の識別番号である記録再生装置製造会社識別番号や、その装置のシリアル番号、モデル番号が記録される。ディスク固有番号にはディスク識別用にディスク毎に固有な番号を光ディスク装置が記録する。
【表８】
2007048409.tif 000010
【００５１】
記録マネジメントデータ複製領域には、マネジメント領域が拡張された場合に、記録マネジメントデータの複製を記録しておく。また、記録マネジメント領域にはデータ領域の記録状態を表す記録マネジメントデータ（ＲＭＤ）を1ブロック毎に記録していく。ここで、追記型ディスクでは情報の上書きができないため、記録マネジメントデータの内容が更新されるたびに、次の未使用ブロックに次々に情報が追記されていく。したがって、もっとも後ろにある情報が最新のＲＭＤ情報ということになる。
【００５２】
表９に記録マネジメントデータの構成を示す。記録マネジメントデータは32フィールドで構成されており、第一フィールドは予備フィールドとなっている。次のフィールドからは順に番号が振られており、それぞれ異なる情報が記録されている。
【表９】
2007048409.tif 000011
【００５３】
表１０にフィールド0のＲＭＤ情報を示す。RMD記録形式識別子には、RMDのデータの記録形式を示す情報が記録される。ディスク状態情報には、図１７に示すように、フォーマッティング情報と、ファイナライズ情報が記録される。たとえば、上位4ビットにフォーマッティング情報が、下位4ビットにファイナライズ情報が割り当てられる。フォーマッティング情報には、レイヤー 0のガード領域が記録済みであるか、未記録であるかの情報が記録される。ここで、レイヤー0のガード領域が記録済みであるとの情報が記録されていれば、レイヤー1に対して記録を開始することが可能となる。また、ファイナライズ情報には、ディスクに記録されたデータがファイナライズされているかどうかの情報が記録されている。たとえば、0hはデータ領域にデータが記録されていない状態を表し、1hはボーダーが1つの状態でファイナライズされたことをあらわす。2hはデータ領域にデータが記録されており、ファイナライズされていない状態を表す。また、3hは1h以外の状態でディスクがファイナライズされている状態であることを示している。
【００５４】
また、そのほかの実施例として、表10のバイトポジション3の予備を利用し、バイトポジション2にはファイナライズ情報、バイトポジション3をフォーマッティング情報とするように配置すれば、さらに多くの情報を記録することが可能となる。
【表１０】
2007048409.tif 000012
【００５５】
表１１に記録マネジメントデータ内のデータエリア構造の詳細を示す。このバイトには、エンボス管理領域のフォーマット情報のデータエリア構造と同じ値が記録される。
【表１１】
2007048409.tif 000013
【００５６】
表１２に更新データエリア構造の内容を示す。ここには、フォーマッティングもしくは、ファイナライズ時に変更された後のデータエリア構造の値が記録される。更新識別子は、データエリア構造がどのような状態で変更されたかを示す情報である。フォーマッティングの際に変更された場合には、1hが記録され、ファイナライズ時に変更された場合には2hが記録される。
【表１２】
2007048409.tif 000014
【００５７】
表１３にテスト領域配置情報の内容を示す。テスト領域は、拡張やシフトで位置が変化する場合があるので、このバイトにその時点での最新のテスト領域（内周テスト領域、外周テスト領域、拡張テスト領域）の開始物理セクターの番号と終了物理セクターの番号もしくは、領域のサイズを記録しておく。
【表１３】
2007048409.tif 000015
【００５８】
表１４にフィールド1の情報を示す。フィールド1は光ディスクに記録を行った光ディスク装置の情報と使用したテスト領域の情報、ドライブが固有のフォーマットで記録が可能な記録波形情報を記録するフィールドである。これらの情報は256バイトごとに一まとめにされており、それぞれ#1、#2と名前がつけられている。図示しないが、#4まで存在し、残りのバイトは予備となっている。テスト領域使用アドレス情報は内周テスト領域用、外周テスト領域用、拡張テスト領域用とぞれぞれの領域に対して独立に用意されており、さらに、それぞれ各レイヤー毎に用意されている。ここには、自分が使用したテスト領域の最後のアドレス、もしくは使用しなかった場合には、すでに保存されていたアドレス情報を記録する。また、拡張テスト領域が拡張されていない状態では、拡張領域使用アドレスにはすべて0が記録される。
【表１４】
2007048409.tif 000016
【００５９】
表１５にフィールド3の内容を示す。フィールド3には各ボーダーアウトの最終物理セクター番号(PSN)と、記録マネジメント領域が拡張された場合には、記録マネジメント領域が拡張されたかどうか示す情報かもしくは拡張された記録マネジメント領域の開始物理セクター番号(PSN)とその大きさ及び、使用中の拡張記録マネジメント領域の番号を記録する。さらに、学習領域が拡張された場合には、拡張された学習領域の開始物理セクター番号(PSN)と総物理セクター数、もしくは終了物理セクター番号(PSN)を記録する。
【表１５】
2007048409.tif 000017
【００６０】
表１６にフィールド4,5,6,…21の内容を示す。フィールド4,5,6,…21にはデータ領域に記録するユーザーデータ領域の状態を管理する情報を記録する。ユーザーデータ領域は、Rゾーン毎に分割されて管理されており、フィールド4,5,6,…21にはこのRゾーンの開始物理セクター番号(PSN)とRゾーンの中で現在記録されている領域の最終物理セクター番号(PSN)が記録される。また、記録がRゾーン内の途中で止まっている状態であるオープンRゾーンを3つまで作ることが許されており、この途中状態のRゾーンの番号を記録するバイトも設けられている。
【表１６】
2007048409.tif 000018
【００６１】
（データ領域とボーダー）
図１８にデータ領域の記録状態を示す。データ領域には、図１８の（ａ）に示すように、Rゾーン単位でユーザーデータが記録される。このとき、記録されたRゾーンの開始物理セクター番号等の情報は記録マネジメントデータに逐次記録されて管理される。また、ボーダークローズが実施されると、はじめのボーダークローズでは図１８の（ｂ）に示すようにユーザーデータに続いてボーダーアウトが形成される。このとき、図示しないが記録可能管理領域のフィジカルフォーマット情報も記録される。ボーダーアウトはDPDトラッキング時のオーバーラン領域として機能する。ボーダークローズが実施されると、ユーザーデータが記録された領域はユーザーデータ領域と呼ばれ、光ディスク再生専用装置などDPDトラッキングでトラッキングを行う装置でも情報を読み取ることが可能となる。
【００６２】
次にデータを記録する際には、図１８の（ｃ）に示すようにボーダーインの領域を未記録のまま残して、Rゾーンを記録していく。ここでボーダークローズが実施されると、図１８の（ｄ）に示すようにボーダーインとボーダーアウトが形成される。このとき、ボーダーインには更新フォーマット情報が記録される。
【００６３】
更新フォーマット情報は表５のフォーマット情報と同様の情報であるが、データエリア構造とボーダーゾーンの開始物理セクター情報がそれぞれ対象となるボーダーの値となっている。
【００６４】
２回目のボーダークローズが実施された状態を図１８の（ｅ）に示す。
【００６５】
最後に、ディスクがファイナライズされると図１８の（ｆ）に示すように、レイヤー1の最終物理セクターまで、ボーダーアウトもしくはターミネイタが記録される。ターミネイタは値がすべて0のダミーデータである。ここで、ディスクのファイナライズが完了したら、記録マネジメントデータのディスク状態を更新する。
【００６６】
（ボーダー）
図１９の（ａ）、（ｂ）にボーダーアウト及びボーダーインの構成とボーダーアウトのサイズを示す。図１９の（ａ）に示すように、ボーダーアウトにはＲＭＤのコピーが記録され、ボーダーインには更新フォーマット情報が記録される。１つの記録ユニットは物理セクタ（ＰＳ）ブロックであり、３２物理セクタからなる。ボーダーアウトはトラッキングのオーバーラン領域として用いられるため、図１８の（ｂ）に示すように、ディスク外周になるほど、サイズが大きくなっている。
【００６７】
（フォーマッティング）
次にディスクのフォーマッティングについて説明を行う。本発明の光ディスクでは、安定した記録を行うために、レイヤー0の記録済み部分に重なる部分しか、レイヤー1を記録することができない。したがって、レイヤー1に情報の記録を行う前に、レイヤー0をフォーマッティングする必要がある。このフォーマッティングは、ディスクに情報を記録する前にあらかじめ実施しても良いし、レイヤー0の記録が終了してから、レイヤー1の記録に移る直前に実施しても良い。フォーマッティングには主に2つの動作がある。一つは、レイヤー0の必要なガード領域、すなわちデータ領域に近いガード領域にダミーデータ等のデータを記録する動作であり、もう一つは必要な場合に、レイヤー0の記録可能最大物理セクター番号を変更することである。
【００６８】
図２０にフォーマッティングの際に信号を記録する範囲（内周側）を、図２１にフォーマッティングの際に信号を記録する範囲（外周側）を示す。網掛けの領域が記録の範囲である。ここで、記録するデータは値がオール0のダミーデータである。図２０、図２１のガード領域がフォーマッティングによって記録されると、レイヤー1のテスト領域及び、データ領域の始端と終端が記録可能になり、レイヤー1への情報の記録が可能となる。さらに、光ディスクはフォーマッティングが完了したら、表3及び図17に示す、記録マネジメントデータのディスク状態のフォーマット情報を変更する。
【００６９】
また、ディスクを出荷前にあらかじめ上記のフォーマッティング処理、すなわちガード領域の記録を施しておけば、ユーザーはフォーマット処理を行わなくてもすぐにディスクに情報を記録できる。
【００７０】
図２２及び図２３にレイヤー0の記録可能最大物理セクター番号を変更した場合の各領域の変化を示す。あらかじめ記録するデータ量が決まっており、ディスクを最外周まで使う必要のない場合には、レイヤー0の記録可能最大物理セクター番号を変更すれば、余分なダミーデータ等でデータ領域を埋める必要がなくなり、ディスクのファイナライズが高速化されたり、比較的記録品質の悪い外周を使わなくてすむという利点がある。フォーマッティングの際に、記録マネジメントデータの更新記録可能最大物理セクター番号に所望の物理セクター番号を記録することで、レイヤー0の更新記録可能最大物理セクター番号すなわち、データ領域の幅を変更することが可能である。さらに、ボーダークローズ及びファイナライズ時には、フォーマット情報のデータエリア構造の値も変更する。また、この際、図２２に示すように、データ領域に続くガード領域は位置が内周側にシフトする。もしくは、図２３に示すように、新たにガード領域Ａ０、Ａ１が生成される。この場合、フォーマッティングの際にダミーデータの記録が行われるガード領域はこのデータ領域に隣接したガード領域Ａ０、Ａ１だけである。ここで、ガード領域の幅はクリアランスを超えた幅があれば良く、それ以上あると余分な記録が増えることになる。したがって、ガード領域が内周側に来るほど、必要なデータ量は少なくてよいことになる。表１７にたとえば、レイヤー0のデータ領域の開始セクター番号が40000hで終了セクター番号が73DC00のディスクの代表的なガード領域のサイズを示す。ここで、更新記録可能最大物理セクター番号が内周側に変化した場合に、連続的にガード領域のサイズを変化させても良いが、その場合、ガード領域の大きさの確定が煩雑になるため、本実施例では、データ領域を3つに分割し、その中で十分クリアランスが確保できる値を設定し、ガード領域の大きさの判定を簡便にしている。表１７の値はPS block数を示している。1PS blockは32個のセクターで構成されている。
【表１７】
2007048409.tif 000019
【００７１】
ここで、ガード領域にとって最低必要なデータ数は下記の式（2）,(3)によって決定することが可能である。
【００７２】
L1のガード領域のPS block数
＝π｛（半径+クリアランス）の2乗−半径の2乗｝
／トラックピッチ／1PS blockの線方向の長さ                    （2）
L0のガード領域のPS block数
＝L1のガード領域のPS block数×2＋L1のテスト領域のPS block数      （3）
ここで、本実施形態では、クリアランスを約100μm、トラックピッチを0.4μm、1PS blockの線方向の長さ13546.01μm（132804チャネルビット×0.102μm）で計算を行っている。
【００７３】
（テスト領域の拡張）
また、テスト領域に関しても、ガード領域と同様に、シフトもしくは拡張される。ここで、シフトもしくは拡張されたテスト領域の位置は記録マネジメントデータのテスト領域に配置情報に記録される。
【００７４】
（記録順序）
次に本発明の実施形態の一つである光ディスクに対する記録の順序に関して説明を行う。
【００７５】
（例１）
図２４に示す記録の順序では、はじめにフォーマッティングによってデータ領域の幅を確定し、次にレイヤー0の所定のガード領域、及びフォーマット情報領域、マネジメント領域等の記録を行う。その後データ領域にデータを記録する。データの記録はレイヤー0の最内周から始まり、レイヤー0の記録が終了した時点で、レーザビームをレイヤー1に移動させレイヤー1の外周から内周に向かって記録を行う。データがレイヤー1の最内周まで達しなかった場合には、光ディスク装置が自動的にターミネイタ等のダミーデータを記録し、レイヤー0及びレイヤー1のデータ領域をすべて記録データで埋める。さらに、レイヤー1のガード領域を記録して、ディスクの記録を完了する。図２４の（ａ）、（ｂ）はそれぞれ図２３の（ａ）、（ｂ）に対応する場合である。
【００７６】
（例２）
図２５に示す記録の順序では、オープンなRゾーンが常に1だけの状態で記録データを順に追記していく方式である。データの記録はレイヤー0の内周から始まり、レイヤー0が終了した時点で、レイヤー1の外周から記録を開始するようにする。これは図１８（ボーダー構造）に示されたような記録順序である。
【００７７】
（例３）
図２６に示す記録の順序では、オープンなRゾーンが複数ある状態で記録データを追記していく方式である。この場合、図２６の（ａ）に示すように、レイヤー0にオープンなRゾーンが存在し、未記録領域がある場合には、レイヤー1の重なる部分は記録禁止領域となる。図２６の（ｂ）に示すように、レイヤー0の未記録領域にが記録されると、レイヤー1の記録禁止は解除される。
【００７８】
（記録禁止の方法）
図２７にレイヤー0のオープンRゾーンと記録可能領域の範囲の関係を示す。図２７の（ａ）の状態では、フォーマッティングによって、レイヤー0の内周のガード領域及び外周のガード領域が記録されており、さらにレイヤー0にデータが記録されている。ただし、レイヤー0には二つのオープンRゾーンが存在し、ここにはデータが記録されていない。この場合、最終オープンRゾーンとして記録可能な範囲は、図２７に示すように、レイヤー0の外周側に位置するオープンRゾーンの最終物理セクターに対応したレイヤー1の物理セクターからクリアランスを確保するのに必要なセクター数Aだけ引いた部分までということになる。
【００７９】
図２７の（ａ）の状態から第二オープンRゾーンにデータを記録して、ここが記録データで埋まった場合には、記録可能領域は図２７の（ｂ）に示すように、第一オープンRゾーンの最終セクター番号で定められる部分まで広がることになる。
【００８０】
また、クリアランスの幅は式（1）に従って決定されるが、クリアランスをディスクで一定とした場合には、クリアランスを確保するために必要なセクター数は内周側の方が少なくてすむ。ここで、更新記録可能最大物理セクター番号が内周側に変化した場合に、連続的に記録禁止の範囲を変化させても良いが、その場合、範囲の確定が煩雑になるため、本実施形態では、データ領域を複数に分割し、その中で十分クリアランスが確保できる値を設定し、記録禁止の範囲の決定を簡便にしている。
【００８１】
表１８に本実施形態の光ディスクでクリアランスを確保するために必要なセクター数Aを示す。本実施形態の光ディスクでは、レイヤー0の物理セクター番号をビットインバートした番号がレイヤー1の同じ半径の物理セクターの番号に割り当てられる。したがって、レイヤー1の記録可能領域の最終物理セクター番号は、第一及び第二オープンRゾーンのうち外周側のオープンRゾーンの最終物理セクター番号のビットインバートした値から、Aだけ引いた値となる。また、クリアランスを確保するのに最低必要なデータ数は下記の式（4）によって決定することが可能である。
【表１８】
2007048409.tif 000020
【００８２】
セクター数
＝｛π｛（半径＋クリアランス）の2乗−半径の2乗｝／トラックピッチ／1PS blockの線方向の長さ｝×32          （4）
ここで、32とは1PS blockに含まれるセクター数である。
【００８３】
（例４）
図２８に示す記録の順序では、レイヤー0にデータを一定量記録したら、続いてレイヤー1の同じ半径幅にデータを記録していくことを繰返す方式である。ただし、レイヤー1の記録範囲はレイヤー0に比べて、図１０、図１１に示したようにクリアランスの分だけ記録範囲を狭くする。
【００８４】
（ファイナライズ）
図２９及び図３０ファイナライズをした場合のディスクの状態を示す。図２９の（ａ）に示す状態は、レイヤー0の途中で記録が終了した場合を示している。この場合、簡易的なファイナライズとして、図２９の（ｂ）に示すようなファイナライズが可能である。まず、ユーザーデータの記録が完了したら、記録マネジメント情報の更新記録可能最大物理セクター番号もユーザーデータの終了物理セクター番号を記録し、データ領域の幅を変更する。次に、レイヤー0の内周側のガード領域及びフォーマット情報等のデータと外周側のデータ領域の隣接する部分にシフトしたガード領域にボーダーアウトを記録し、簡易ファイナライズ完了とする。さらに、図２９の（ｃ）に示すようにレイヤー0の記録領域に対応した範囲のレイヤー1にダミーデータ（ターミネータ）を記録したほうが、ディスクの再生互換性が向上する。これを完全なファイナライズとする。
【００８５】
図３０の（ａ）に示す状態はレイヤー1にも記録データが存在する場合のファイナライズを示している。レイヤー1にも記録データが存在する場合には、まず、図３０の（ｂ）に示すようにレイヤー1のフォーマット情報やオープンRゾーン等の未記録部分を記録し、次にレイヤー1のデータ領域の未記録部分にターミネイタを記録し、レイヤー1のガード領域を記録してファイナライズを完了する。さらに、ファイナライズ時には、図17に示す、記録マネジメントデータのフィールド0のディスク状態のファイナライズ情報を変更する。
【００８６】
（記録マネジメント領域の拡張）
本実施形態の光ディスクでは、記録マネジメント領域の拡張が可能である。内周側の記録可能管理領域に用意された記録マネジメント領域がすべて記録済みになった場合には、記録マネジメント領域の拡張を行う。記録マネジメント領域は、図３１に示すようにボーダーインの中に拡張することが可能である。これは、ボーダーをクローズし、新しいボーダーを作る際に、ボーダーインとして確保される領域の中に作られる。また、図３２に示すように記録可能最大物理セクター番号を更新した場合には、外周側に記録マネジメント領域を拡張することが可能となる。さらに、図１１（外周構成）に示すように、更新しない場合でも、レイヤー1の外周側のガード領域の一部を記録マネジメント領域として使用することが可能である。ここで、記録マネジメント領域を拡張する場合には、その時点で使用中の記録マネジメント領域を最新の記録マネジメントデータでパディングし、さらに、記録マネジメント情報複製領域に最新の記録マネジメントデータの複製を記録しておく。また、記録マネジメントデータの拡張マネジメント領域＃ｎの開始物理セクター番号及びサイズの情報を更新する。
【００８７】
この結果、使用中の記録マネジメント領域は常に一箇所になり、さらに、記録マネジメント情報複製領域を見れば、最新の記録マネジメント領域の位置が判明する利点がある。
【００８８】
（その他のレイアウト）
図３３に他の実施形態である光ディスクの内周側の詳細レイアウトを示す。本実施形態では、内周側のレイヤー1に記録マネジメント領域の拡張が可能となる。内周側の方が外周側に比べ比較的記録特性が安定しているため、外周側に拡張するものに比べ安全性の高いレイアウトであるといえる。また、記録マネジメント領域とデータ領域が隣接しており、アクセスが簡便という利点がある。
【００８９】
図３４に他の実施形態である光ディスクの内周側の詳細レイアウトを示す。本実施形態でも、内周側のレイヤー1に記録マネジメント領域の拡張が可能となる。また、記録マネジメント領域とデータ領域が隣接しており、アクセスが簡便という利点がある。
【００９０】
図３５に他の実施形態である光ディスクの外周側の詳細レイアウトを示す。本実施形態では、レイヤー1のデータ領域がレイヤー0に対してクリアランスの分だけ内周側にずれているので、レイヤー0のデータ領域が記録されていれば、外周側のガード領域を記録しなくてもレイヤー1のデータ領域に情報の記録が可能となる。
【００９１】
（再生専用装置）
図３６に本発明の実施形態の一つである光ディスク再生専用装置の構成を示す。一般に、再生専用ディスク１１０にはアドレス情報がユーザーデータとともにピットによって形成されている。したがって、アドレスの読み取りはRF信号処理回路１３０でデータの再生と同時に行われる。このほか記録機能以外の構成は記録再生装置と同様である。ただし、再生専用装置では、一般にエンボスピットに対してのみトラッキング制御を行うことを想定しているため、プッシュプル方式のトラッキング制御機能を有さず、DPD方式のみを有していている。この結果、未記録領域へのアクセスはできず、連続した記録領域のみしか再生ができない。
【００９２】
通常、2層ディスクのレイヤー1の外周側にアクセスする場合には、図３７の（ａ）に矢印で示すように、レイヤー0からレイヤー1にアクセスした後に、レイヤー1の外周にアクセスする。これは、レイヤー1のアドレスを確認しながらアクセスができるという利点がある。
【００９３】
一方、本実施形態の光ディスク装置では、レイヤー1の未記録領域の通過を避けるため、図３７の（ｂ）に示すように、一旦レイヤー0の外周まで進んだ後に、レイヤー1にアクセスするステップをとる。このように本実施形態の光ディスク装置は、フォーマット情報等からディスクのファイナライズ状態を確認し、ディスクがファイナライズされている場合には図３７の（ａ）のアクセス方式をとり、ファイナライズされいないと判定した場合には、図３７の（ｂ）のアクセス方法をとる機能を有している。
【００９４】
以上説明したように本発明の実施の形態によれば、レイヤー0の記録済み領域に対応するレイヤー1の領域の両端部の所定範囲は記録禁止領域とすることにより、製造誤差等によってレイヤー0とレイヤー1の同一設計半径の実際の半径位置の相対的なずれが発生しても、クロストークの影響を抑えることができる。
【００９５】
また、レイヤー0のテスト領域は、エンボス管理領域からクリアランス（ガード領域）の分だけ離れた位置に配置されているので、エンボス管理領域のクロストークを避けることができる。レイヤー1のガード領域は、レイヤー0のテスト領域の幅とマネジメント領域の幅の合計に対して、両側のクリアランスの分だけ広い幅となっており、また、レイヤー1のテスト領域は両側のクリアランスの分だけレイヤー0のガード領域より幅が狭くなっているので、テスト領域とマネジメント領域と重なる反対の層の状態が常に、記録状態か未記録状態かの一定の状態となり、安定した試し書きや、マネジメント情報の記録が可能になる。
【００９６】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００９７】
【図１】本発明の一実施形態である情報記録再生システムのブロック図。
【図２】本発明の他の実施形態である情報記録再生システムのブロック図。
【図３】本発明の他の実施形態である光ディスク装置のブロック図。
【図４】本発明の実施形態の一つである２つの情報記録再生層を有する２層光ディスクの模式図。
【図５】光ディスクの各レイヤーの断面構造を示す図。
【図６】光ディスクの各レイヤーのレイアウトを示す図。
【図７】光ディスクの層間クロストークを説明する図。
【図８】レイヤー０の記録状態に応じたレイヤー１の記録パワーの最適値の変化を示す図。
【図９】層間クロストークによる信号オフセットを防ぐためにデータ領域に設けたクリアランスを示す図。
【図１０】光ディスクの内周側のレイアウトの詳細を示す図。
【図１１】光ディスクの外周側のレイアウトの詳細を示す図。
【図１２】ＢＣＡ領域に記録される情報の一例を示す図。
【図１３】ＢＣＡレコードのブックタイプ・ディスクタイプの詳細を示す図。
【図１４】ＢＣＡレコードの拡張ディスクタイプの詳細を示す図。
【図１５】ＢＣＡレコードのブックタイプ・ディスクタイプの他の例の詳細を示す図。
【図１６】マネジメント領域の詳細を示す図。
【図１７】記録マネジメントデータＲＭＤのフィールド０のＲＭＤ情報を示す図。
【図１８】データ領域の記録状態を示す図。
【図１９】ボーダーアウト、ボーダーインの構成と、ボーダーアウトのサイズを示す図。
【図２０】フォーマッティングの際に信号を記録する内周側の範囲を示す図。
【図２１】フォーマッティングの際に信号を記録する外周側の範囲を示す図。
【図２２】レイヤー0の記録可能最大物理セクター番号を変更した場合の各領域の変化を示す図であり、ガード領域がシフトした場合を示す。
【図２３】レイヤー0の記録可能最大物理セクター番号を変更した場合の各領域の変化を示す図であり、新たにガード領域が生成される場合を示す。
【図２４】記録例１の手順を示す図。
【図２５】記録例２の手順を示す図。
【図２６】記録例３の手順を示す図。
【図２７】記録禁止を説明するためにレイヤー0のオープンRゾーンと記録可能領域の範囲の関係を示す図。
【図２８】記録例４の手順を示す図。
【図２９】レイヤー1にデータが無い状態でファイナライズしたディスクの状態を示す図。
【図３０】レイヤー1にデータが有る状態でファイナライズしたディスクの状態を示す図。
【図３１】ボーダーインの中に記録マネジメント領域を拡張することを説明する図。
【図３２】外周側に記録マネジメント領域を拡張することを説明する図。
【図３３】他の実施形態の光ディスクの内周側の詳細レイアウトを示す図。
【図３４】さらに他の実施形態の光ディスクの内周側の詳細レイアウトを示す図。
【図３５】さらに他の実施形態の光ディスクの外周側の詳細レイアウトを示す図。
【図３６】本発明の別の実施形態の光ディスク再生専用装置の構成を示す図。
【図３７】図３６の実施形態の再生専用装置による再生動作を説明する図。
【符号の説明】
【００９８】
１０…光ディスク、２２…PUHアクチュエータ、２４…フォトディテクタ−、２６…プリアンプ、２８…サーボ回路、３０…ＲＦ信号処理回路、３２…アドレス信号処理回路、３４…コントローラー、３６…記録信号処理回路、３８…ＬＤ駆動回路。
【図１】
2007048409.tif 000021
【図２】
2007048409.tif 000022
【図３】
2007048409.tif 000023
【図４】
2007048409.tif 000024
【図５】
2007048409.tif 000025
【図６】
2007048409.tif 000026
【図７】
2007048409.tif 000027
【図８】
2007048409.tif 000028
【図９】
2007048409.tif 000029
【図１０】
2007048409.tif 000030
【図１１】
2007048409.tif 000031
【図１２】
2007048409.tif 000032
【図１３】
2007048409.tif 000033
【図１４】
2007048409.tif 000034
【図１５】
2007048409.tif 000035
【図１６】
2007048409.tif 000036
【図１７】
2007048409.tif 000037
【図１８】
2007048409.tif 000038
【図１９】
2007048409.tif 000039
【図２０】
2007048409.tif 000040
【図２１】
2007048409.tif 000041
【図２２】
2007048409.tif 000042
【図２３】
2007048409.tif 000043
【図２４】
2007048409.tif 000044
【図２５】
2007048409.tif 000045
【図２６】
2007048409.tif 000046
【図２７】
2007048409.tif 000047
【図２８】
2007048409.tif 000048
【図２９】
2007048409.tif 000049
【図３０】
2007048409.tif 000050
【図３１】
2007048409.tif 000051
【図３２】
2007048409.tif 000052
【図３３】
2007048409.tif 000053
【図３４】
2007048409.tif 000054
【図３５】
2007048409.tif 000055
【図３６】
2007048409.tif 000056
【図３７】
2007048409.tif 000057